(57)【要約】  【課題】  光ディスクを裏返すことなく、レーザビームの照射によりレーベル面に可視画像を効率良く、且つ、正確に形成することができる光ディスク装置を提供する。  【解決手段】  ＤＶＤ５０の記録色素膜（情報記録層）５２にレーザビームＬ１を、可視光特性変化層（レーベル層）５５にレーザビームＬ２を集光させ、レーザビームＬ１のＤＶＤ５０からの反射光に基づく受光信号を出力する光ピックアップ１０と、前記受光信号に基づいてＤＶＤ５０に照射されるレーザビームのフォーカス制御及びトラッキング制御を行うサーボ回路１５と、ＤＶＤ５０に情報の記録を行う際に、記録する情報記録データに基づいて光ピックアップ１０からレーザビームＬ１を出射させるとともに印刷する画像データに基づいてレーザビームＬ２を出射させるように制御する制御部１７を備える。【選択図】      図３
2006147087.tif 000002
【特許請求の範囲】
【請求項１】
グルーブが形成され第１のレーザビームが照射されることにより情報の記録がなされる
情報記録層と、第１のレーザビームとは異なる波長帯域の第２のレーザビームが照射され
ることにより可視画像が形成されるレーベル層と、前記情報記録層とレーベル層との間に
設けられ第１のレーザビームについての反射率が第２のレーザビームについての反射率よ
りも高い二色性反射膜とを備えた光ディスクに対して、第１、第２のレーザビームを前記
情報記録層側から照射することにより情報の記録と可視画像の形成とを行う光ディスク装
置であって、
第１のレーザビームを出射する第１のレーザダイオードと、第１のレーザダイオードを
駆動する第１のレーザダイオードドライバと、第２のレーザビームを出射する第２のレー
ザダイオードと、第２のレーザダイオードを駆動する第２のレーザダイオードドライバと
、第１のレーザビームを前記情報記録層に集光させるとともに第２のレーザビームを前記
レーベル層に集光させる光学系と、前記光学系を前記光ディスクの径方向に駆動するトラ
ッキングアクチュエータと、前記光学系を光軸方向に駆動するフォーカスアクチュエータ
と、第１のレーザビームの前記二色性反射膜からの反射光を受光し受光した反射光に基づ
く受光信号を出力する受光素子とを有する光ピックアップと、
前記受光信号に含まれる前記グルーブの位置情報に基づいて前記トラッキングアクチュ
エータを駆動して前記光ディスクに照射されるレーザビームのトラッキング制御を行うと
ともに、前記受光信号に含まれる前記情報記録層における第１のレーザビームの焦点情報
に基づいて前記フォーカスアクチュエータを駆動して前記光ディスクに照射されるレーザ
ビームのフォーカス制御を行うサーボ回路と、
前記光ディスクに情報の記録を行う際に、記録する情報記録データに基づいて第１のレ
ーザダイオードドライバを駆動するとともに、形成する可視画像の画像データに基づいて
第２のレーザダイオードドライバを駆動する制御部と、
を備えたことを特徴とする光ディスク装置。
【請求項２】
第１のレーザビームが照射されることにより情報の記録がなされ第１のレーザビームと
は異なる波長帯域の第２のレーザビームが照射されることにより可視画像が形成される光
ディスクに対して、第１、第２のレーザビームを前記光ディスクの情報の記録がなされる
面側から照射することにより情報の記録と可視画像の形成とを行う光ディスク装置であっ
て、
第１、第２のレーザビームを出射し、出射される第１、第２のレーザビームを前記光デ
ィスクに集光させ、第１のレーザビームの前記光ディスクからの反射光を受光し受光した
反射光に基づく受光信号を出力する光ピックアップと、
前記受光信号に基づいて前記光ピックアップを操作することにより前記光ディスクに照
射されるレーザビームのトラッキング制御及びフォーカス制御を行うサーボ回路と、
前記光ディスクに情報の記録を行う際に、記録する情報記録データに基づいて前記光ピ
ックアップから第１のレーザビームを出射させるとともに、形成する可視画像の画像デー
タに基づいて第２のレーザビームを出射させるように制御する制御部と、
を備えたことを特徴とする光ディスク装置。
【請求項３】
グルーブが形成され第１のレーザビームが照射されることにより情報の記録がなされる
情報記録層と、第１のレーザビームとは異なる波長帯域の第２のレーザビームが照射され
ることにより可視画像が形成されるレーベル層と、前記情報記録層とレーベル層との間に
設けられ第１のレーザビームについての反射率が第２のレーザビームについての反射率よ
りも高い二色性反射膜とを備えた光ディスクに対して、第１、第２のレーザビームを前記
情報記録層側から照射することにより情報の記録と可視画像の形成とを行う光ディスク装
置であって、
第１、第２のレーザビームを出射し、出射される第１のレーザビームを前記情報記録層
に集光させるとともに出射される第２のレーザビームを前記レーベル層に集光させ、第１
のレーザビームの前記二色性反射膜からの反射光を受光し受光した反射光に基づく受光信
号を出力する光ピックアップと、
前記受光信号に含まれる前記グルーブの位置情報に基づいて前記光ピックアップを操作
することにより前記光ディスクに照射されるレーザビームのトラッキング制御を行うとと
もに、前記受光信号に含まれる前記情報記録層における第１のレーザビームの焦点情報に
基づいて前記光ディスクに照射されるレーザビームのフォーカス制御を行うサーボ回路と
、
前記光ディスクに情報の記録を行う際に、記録する情報記録データに基づいて前記光ピ
ックアップから第１のレーザビームを出射させるとともに、形成する可視画像の画像デー
タに基づいて第２のレーザビームを出射させるように制御する制御部と、
を備えたことを特徴とする光ディスク装置。
【請求項４】
前記光ピックアップは、
第１のレーザビームを出射する第１のレーザダイオードと、
第１のレーザダイオードを駆動する第１のレーザダイオードドライバと、
第２のレーザビームを出射する第２のレーザダイオードと、
第２のレーザダイオードを駆動する第２のレーザダイオードドライバと、
第１のレーザビームを前記情報記録層に集光させるとともに第２のレーザビームを前記
レーベル層に集光させる光学系と、
前記光学系を前記光ディスクの径方向に駆動するトラッキングアクチュエータと、
前記光学系を光軸方向に駆動するフォーカスアクチュエータと、
第１のレーザビームの前記二色性反射膜からの反射光を受光し受光した反射光に基づく
受光信号を出力する受光素子と、
を有することを特徴とする請求項３に記載の光ディスク装置。
【請求項５】
前記サーボ回路は、前記受光信号に含まれる前記グルーブの位置情報に基づいて前記ト
ラッキングアクチュエータを駆動して前記光ディスクに照射されるレーザビームのトラッ
キング制御を行うとともに、前記受光信号に含まれる前記情報記録層における第１のレー
ザビームの焦点情報に基づいて前記フォーカスアクチュエータを駆動して前記光ディスク
に照射されるレーザビームのフォーカス制御を行うことを特徴とする請求項４に記載の光
ディスク装置。
【請求項６】
前記制御部は、前記情報記録データに基づいて第１のレーザダイオードドライバを駆動
するとともに、前記画像データに基づいて第２のレーザダイオードドライバを駆動するこ
とを特徴とする請求項４または請求項５に記載の光ディスク装置。
【発明の詳細な説明】
【技術分野】
【０００１】
本発明は、光ディスク装置に関し、特に、光ディスクに対して、レーザビームを照射す
ることにより情報の記録と可視画像の形成とを行うことができる光ディスク装置に関する
ものである。
【背景技術】
【０００２】
従来から、ＣＤ（Compact Disk：コンパクトディスク）やＤＶＤ（Digital Versatile 
Disk：デジタルバーサタイルディスク）等の光ディスクに対してレーザビームを照射する
ことにより、その光ディスクに記録されている音楽情報や動画情報等の情報を再生したり
、そのような情報をその光ディスクに記録したりする光ディスク装置が提供されている。
【０００３】
そのような光ディスク装置で光ディスクに情報の記録を行った場合、その記録した内容
が外観で認識できれば便利であるため、ユーザは専用のプリンタ装置を用いて、その光デ
ィスクに記録した内容を示す文字等（例えば、曲名や映画タイトル等）を円形のシートに
印刷し、このシートをその光ディスクの記録面と反対の面（以下、レーベル面という）に
貼り付けるというようなことを行っていた。
【０００４】
しかしながら、この方法では、ユーザは、専用のプリンタ装置を用意する必要があり、
また、その専用プリンタ装置でのシートの印刷、印刷されたシートの光ディスクへの貼り
付け等の煩雑な作業を行う必要もあった。
【０００５】
そこで、近年、光ディスクのレーベル面に対し、光ディスクの記録内容を可視的に認識
するための可視画像（例えば、曲名や映画タイトル等を示す文字等）を光ディスクのレー
ベル面に印刷できる光ディスク装置が提供されるようになってきている。
【０００６】
そのような光ディスク装置には、再生時や記録時に光ディスクの記録面に照射されるレ
ーザビームを光ディスクのレーベル面となる所定領域に照射し、照射した部分の発色等を
変化させることにより可視画像を形成（印刷）するようにしたものがある（例えば、特許
文献１参照）。
【特許文献１】特開２００４−２１３７９６号公報
【発明の開示】
【発明が解決しようとする課題】
【０００７】
しかしながら、特許文献１に記載の従来の光ディスク記録再生装置を用いても、ユーザ
は依然として煩雑な作業を行う必要があった。即ち、ユーザは、情報記録する際には、光
ディスクの記録面側にレーザビームが照射されるように光ディスクを装置に装着し、光デ
ィスクのレーベル面に可視画像を印刷する際には、光ディスクのレーベル面側にレーザビ
ームが照射されるように光ディスクを裏返して再装着するという煩雑な作業を行う必要が
あった。
【０００８】
また、情報記録とレーベル印刷とを別々に行う必要があるので、光ディスクに情報記録
及びレーベル印刷を行うのに多くの時間がかかり、効率が悪いという問題もあった。
【０００９】
また、レーザビームを照射してレーベル印刷を行う従来の光ディスク装置は、可視画像
を印刷するために照射するレーザビームのレーベル面からの反射光に基づいてそのレーザ
ビームのフォーカス制御やトラッキング制御を行わなければ、可視画像を正確に印刷する
ことができないので、そのフォーカス制御やトラッキング制御を行うために構成が複雑に
なるという問題があった。
【００１０】
本発明は、上記の問題点を解決するためになされたもので、光ディスクのレーベル印刷
を行う際に光ディスクを裏返して装着するという煩雑な作業を行う必要がなく、レーザビ
ームを照射することにより光ディスクのレーベル面に可視画像を効率良く、且つ、正確に
形成することができる光ディスク装置を提供することを目的とする。
【課題を解決するための手段】
【００１１】
上記目的を達成するために、請求項１の発明は、グルーブが形成され第１のレーザビー
ムが照射されることにより情報の記録がなされる情報記録層と、第１のレーザビームとは
異なる波長帯域の第２のレーザビームが照射されることにより可視画像が形成されるレー
ベル層と、前記情報記録層とレーベル層との間に設けられ第１のレーザビームについての
反射率が第２のレーザビームについての反射率よりも高い二色性反射膜とを備えた光ディ
スクに対して、第１、第２のレーザビームを前記情報記録層側から照射することにより情
報の記録と可視画像の形成とを行う光ディスク装置であって、第１のレーザビームを出射
する第１のレーザダイオードと、第１のレーザダイオードを駆動する第１のレーザダイオ
ードドライバと、第２のレーザビームを出射する第２のレーザダイオードと、第２のレー
ザダイオードを駆動する第２のレーザダイオードドライバと、第１のレーザビームを前記
情報記録層に集光させるとともに第２のレーザビームを前記レーベル層に集光させる光学
系と、前記光学系を前記光ディスクの径方向に駆動するトラッキングアクチュエータと、
前記光学系を光軸方向に駆動するフォーカスアクチュエータと、第１のレーザビームの前
記二色性反射膜からの反射光を受光し受光した反射光に基づく受光信号を出力する受光素
子とを有する光ピックアップと、前記受光信号に含まれる前記グルーブの位置情報に基づ
いて前記トラッキングアクチュエータを駆動して前記光ディスクに照射されるレーザビー
ムのトラッキング制御を行うとともに、前記受光信号に含まれる前記情報記録層における
第１のレーザビームの焦点情報に基づいて前記フォーカスアクチュエータを駆動して前記
光ディスクに照射されるレーザビームのフォーカス制御を行うサーボ回路と、前記光ディ
スクに情報の記録を行う際に、記録する情報記録データに基づいて第１のレーザダイオー
ドドライバを駆動するとともに、形成する可視画像の画像データに基づいて第２のレーザ
ダイオードドライバを駆動する制御部とを備えたことを特徴とする光ディスク装置を提供
する。
【００１２】
この構成によれば、光ディスクに情報の記録を行う際には、制御部が記録情報データに
基づいて第１のレーザダイオードドライバを駆動することにより、第１のレーザダイオー
ドから第１のレーザビームが照射され光学系を介して光ディスクの情報記録層に集光され
る。これにより、光ディスクの情報記録層に情報の記録がなされる。尚、このとき、照射
された第１のレーザビームは二色性反射膜で反射されるので、可視光特性変化層に影響を
及ぼすことはない。
【００１３】
また、このとき、制御部が、形成する可視画像の画像データに基づいて第２のレーザダ
イオードドライバを駆動することにより、第２のレーザダイオードから第２のレーザビー
ムが照射され光学系を介して光ディスクのレーベル層に集光される。これにより、光ディ
スクのレーベル層に画像の形成がなされる。尚、このとき、照射された第２のレーザビー
ムは二色性反射膜を透過してレーベル層に到達する。
【００１４】
そして、このとき、サーボ回路により、照射された第１のレーザビームの二色性反射膜
からの反射光に基づく受光信号に含まれる前記光ディスクのグルーブの位置情報に基づい
て光学系を駆動するトラッキングアクチュエータが駆動され光ディスクに照射されるレー
ザビームのトラッキング制御が行われる。さらに、同時に、サーボ回路により、前記受光
信号に含まれる前記光ディスクの情報記録層における第１のレーザビームの焦点情報に基
づいて光学系を駆動するフォーカスアクチュエータが駆動され光ディスクに照射されるレ
ーザビームのフォーカス制御が行われる。これにより、第１、第２のレーザビームは同じ
光学系により集光されることから、第１、第２のレーザビームの両方ともにトラッキング
制御及びフォーカス制御がなされることになる。
【００１５】
請求項２の発明は、第１のレーザビームが照射されることにより情報の記録がなされ第
１のレーザビームとは異なる波長帯域の第２のレーザビームが照射されることにより可視
画像が形成される光ディスクに対して、第１、第２のレーザビームを前記光ディスクの情
報の記録がなされる面側から照射することにより情報の記録と可視画像の形成とを行う光
ディスク装置であって、第１、第２のレーザビームを出射し、出射される第１、第２のレ
ーザビームを前記光ディスクに集光させ、第１のレーザビームの前記光ディスクからの反
射光を受光し受光した反射光に基づく受光信号を出力する光ピックアップと、前記受光信
号に基づいて前記光ピックアップを操作することにより前記光ディスクに照射されるレー
ザビームのトラッキング制御及びフォーカス制御を行うサーボ回路と、前記光ディスクに
情報の記録を行う際に、記録する情報記録データに基づいて前記光ピックアップから第１
のレーザビームを出射させるとともに、形成する可視画像の画像データに基づいて第２の
レーザビームを出射させるように制御する制御部とを備えたことを特徴とする光ディスク
装置を提供する。
【００１６】
この構成によれば、光ディスクに情報の記録を行う際には、制御部は情報記録データに
基づいて前記光ピックアップから第１のレーザビームを出射させる。そして、光ピックア
ップは照射された第１のレーザビームを光ディスクに集光させる。これにより、光ディス
クに情報の記録がなされる。
【００１７】
また、このとき、制御部は画像データに基づいて光ピックアップから第２のレーザビー
ムを出射させる。そして、光ピックアップは照射された第２のレーザビームを光ディスク
に集光させる。これにより、光ディスクに画像の形成がなされる。
【００１８】
そして、このとき、サーボ回路により、照射された第１のレーザビームの光ディスクか
らの反射光に基づく受光信号に基づいて光ピックアップが操作され光ディスクに照射され
るレーザビームのトラッキング制御及びフォーカス制御が行われる。これにより、第１、
第２のレーザビームは同じ光ピックアップにより集光されることから、第１、第２のレー
ザビームの両方ともにトラッキング制御及びフォーカス制御がなされることになる。
【００１９】
請求項３の発明は、グルーブが形成され第１のレーザビームが照射されることにより情
報の記録がなされる情報記録層と、第１のレーザビームとは異なる波長帯域の第２のレー
ザビームが照射されることにより可視画像が形成されるレーベル層と、前記情報記録層と
レーベル層との間に設けられ第１のレーザビームについての反射率が第２のレーザビーム
についての反射率よりも高い二色性反射膜とを備えた光ディスクに対して、第１、第２の
レーザビームを前記情報記録層側から照射することにより情報の記録と可視画像の形成と
を行う光ディスク装置であって、第１、第２のレーザビームを出射し、出射される第１の
レーザビームを前記情報記録層に集光させるとともに出射される第２のレーザビームを前
記レーベル層に集光させ、第１のレーザビームの前記二色性反射膜からの反射光を受光し
受光した反射光に基づく受光信号を出力する光ピックアップと、前記受光信号に含まれる
前記グルーブの位置情報に基づいて前記光ピックアップを操作することにより前記光ディ
スクに照射されるレーザビームのトラッキング制御を行うとともに、前記受光信号に含ま
れる前記情報記録層における第１のレーザビームの焦点情報に基づいて前記光ディスクに
照射されるレーザビームのフォーカス制御を行うサーボ回路と、前記光ディスクに情報の
記録を行う際に、記録する情報記録データに基づいて前記光ピックアップから第１のレー
ザビームを出射させるとともに、形成する可視画像の画像データに基づいて第２のレーザ
ビームを出射させるように制御する制御部とを備えたことを特徴とする光ディスク装置を
提供する。
【００２０】
この構成によれば、光ディスクに情報の記録を行う際には、制御部は情報記録データに
基づいて前記光ピックアップから第１のレーザビームを出射させる。そして、光ピックア
ップは照射された第１のレーザビームを光ディスクの情報記録層に集光させる。これによ
り、光ディスクの情報記録層に情報の記録がなされる。尚、このとき、照射された第１の
レーザビームは二色性反射膜で反射されるので、可視光特性変化層に影響を及ぼすことは
ない。
【００２１】
また、このとき、制御部は画像データに基づいて光ピックアップから第２のレーザビー
ムを出射させる。そして、光ピックアップは照射された第２のレーザビームを光ディスク
のレーベル層に集光させる。これにより、光ディスクのレーベル層に画像の形成がなされ
る。尚、このとき、照射された第２のレーザビームは二色性反射膜を透過してレーベル層
に到達する。
【００２２】
そして、このとき、サーボ回路により、照射された第１のレーザビームの二色性反射膜
からの反射光に基づく受光信号に含まれる前記グルーブの位置情報に基づいて光ピックア
ップが操作され光ディスクに照射されるレーザビームのトラッキング制御が行われるとと
もに、前記受光信号に含まれる前記情報記録層における第１のレーザビームの焦点情報に
基づいて光ピックアップが操作され光ディスクに照射されるレーザビームのフォーカス制
御が行われる。これにより、第１、第２のレーザビームは同じ光ピックアップにより集光
されることから、第１、第２のレーザビームの両方ともにトラッキング制御及びフォーカ
ス制御がなされることになる。
【００２３】
請求項４の発明では、請求項３の発明において、前記光ピックアップは、第１のレーザ
ビームを出射する第１のレーザダイオードと、第１のレーザダイオードを駆動する第１の
レーザダイオードドライバと、第２のレーザビームを出射する第２のレーザダイオードと
、第２のレーザダイオードを駆動する第２のレーザダイオードドライバと、第１のレーザ
ビームを前記情報記録層に集光させるとともに第２のレーザビームを前記レーベル層に集
光させる光学系と、前記光学系を前記光ディスクの径方向に駆動するトラッキングアクチ
ュエータと、前記光学系を光軸方向に駆動するフォーカスアクチュエータと、第１のレー
ザビームの前記二色性反射膜からの反射光を受光し受光した反射光に基づく受光信号を出
力する受光素子とを有するようにしている。
【００２４】
請求項５の発明では、請求項４の発明において、前記サーボ回路は、前記受光信号に含
まれる前記グルーブの位置情報に基づいて前記トラッキングアクチュエータを駆動して前
記光ディスクに照射されるレーザビームのトラッキング制御を行うとともに、前記受光信
号に含まれる前記情報記録層における第１のレーザビームの焦点情報に基づいて前記フォ
ーカスアクチュエータを駆動して前記光ディスクに照射されるレーザビームのフォーカス
制御を行うようにしている。
【００２５】
請求項６の発明では、請求項４または請求項５の発明において、前記制御部は、前記情
報記録データに基づいて第１のレーザダイオードドライバを駆動するとともに、前記画像
データに基づいて第２のレーザダイオードドライバを駆動するようにしている。
【発明の効果】
【００２６】
以上のように本発明によれば、光ディスクに対して光ピックアップから情報記録データ
に基づいて第１のレーザビームを照射することにより情報の記録を行うことができ、また
、光ディスクに対して光ピックアップから画像データに基づいて第２のレーザビームを前
記光ディスクの情報の記録がなされる面側から照射して可視画像の形成、即ち、レーベル
印刷を行うことができるので、レーベル印刷を行うために、ユーザが、専用のプリンタ装
置を用意したり、情報が記録されている光ディスクに別途印刷したレーベルシートを貼っ
たり、或いは、光ディスクを裏返して再度、装置に装着したりするような煩雑な作業をす
る必要がなくなる。
【００２７】
また、本発明によれば、光ディスクに対して情報の記録と可視画像の形成とを同時進行
で行うので、光ディスクに情報記録及びレーベル印刷を行うために要する時間を短縮する
ことができる。即ち、光ディスクのレーベル面に可視画像を効率良く印刷することができ
る。また、レーベル印刷を行うために照射される第２のレーザビームには、情報の記録た
めに照射される第１のレーザビームとともにトラッキング制御及びフォーカス制御がなさ
れているので、光ディスクのレーベル面に可視画像を正確に形成することができる。
【発明を実施するための最良の形態】
【００２８】
以下、添付図面を参照しつつ、本発明の実施形態について説明するが、先ず、本実施形
態に係る光ディスク装置が対象とする光ディスクの構成について説明し、その後、本実施
形態に係る光ディスク装置の構成及び動作等について説明する。
【００２９】
図１は、本実施形態で想定した光ディスクの構造を示す側断面図である。ここでは、光
ディスクとして、ＣＤの再生及び／または記録機能を付随したＤＶＤの記録及び再生を行
う光ディスク装置を用いて、ＤＶＤ情報の記録及び再生が可能であるとともに、ＣＤにつ
いてのレーザビームを照射することによりレーベル印刷を行うことを可能にしたＤＶＤを
想定する。
【００３０】
図１に示すＤＶＤ５０は、その厚みＴを１．２ｍｍとされ、また、基板５１、情報記録
層となる記録色素膜５２、色フィルタ（二色性反射膜）５３、レーベル層となる可視光特
性変化層５５、及び、基板５４が、順に積層されて構成されている。尚、色フィルタ５３
と可視光特性変化層５５との間には、色フィルタ５３と可視光特性変化層５５とを貼り合
わせるための接着剤等から成る透明中間層５６が存在している。また、図１はＤＶＤ５０
の構造を模式的に示しており、各層の形状、寸法比率等はこの図に示される通りではない
。
【００３１】
これらの各層のうち、記録色素膜５２の上には螺旋状にグルーブ５２ａが形成されてお
り、ＤＶＤ５０に情報記録をする際には、このグルーブ５２ａ上にレーザビームが集光さ
れるように制御（フォーカス制御）されるとともに、このグルーブ５２ａに沿ってレーザ
ビームが照射されるように制御（トラッキング制御）され、グルーブ５２ａ上に記録デー
タ長に対応するピットが形成される。
【００３２】
また、ＤＶＤ５０に記録されている情報を再生する際にも、同様に、このグルーブ５２
ａ上にレーザビームが集光されるように制御（フォーカス制御）されるとともに、このグ
ルーブ５２ａに沿ってレーザビームが照射されるように制御（トラッキング制御）され、
このときにＤＶＤ５０から反射されるそのレーザビームの反射光の信号を復調して、記録
されている情報の再生が行われる。
【００３３】
基板５１、５４は、例えば、ポリカーボネイト樹脂から成る。
【００３４】
また、色フィルタ５３は、Ｚｎｓ、ＳｉＯ２、ＳｉＮ等の誘電体膜またはそれらの積層
膜から形成された二色性反射膜から構成されている。色フィルタ５３は、積層膜によって
構成された方が単層の膜によって構成されるよりも所望の二色性を大きくできるため、好
ましい。
【００３５】
尚、色フィルタ５３は、誘電体膜から成る二色性反射膜に限らず、以下の化学式（化１
）として示すような構造を有するシアニン色素ＮＫ−６７（日本感光色素研究所製）等の
色素によって構成されても良い。
【００３６】
【化１】
2006147087.tif 000003
【００３７】
図２に、上記したようなシアニン色素の光学的特性として、当該シアニン色素の吸光度
及び屈折率を示す。
【００３８】
図２を参照して、上記したようなシアニン色素は、波長５５０ｎｍ近傍に吸光度の極大
を有している。そして、当該吸光度が低下し始める６５０ｎｍ近傍の領域で、屈折率が極
大値を示している。尚、このシアニン色素の屈折率の極大値は３．０程度である。従って
、色フィルタ５３は、その膜厚を最適化され、かつ薄膜化されることにより、波長６５０
ｎｍ近傍において高い反射率を呈することができる。また、シアニン色素は、ＣＤプレー
ヤにおいて情報を再生させる際に利用される光の波長である７８０ｎｍ近傍の光をほとん
ど吸収しないことから、色フィルタ５３は、高い透過率を示す。
【００３９】
尚、本実施の形態において色フィルタ５３を構成する層は、少なくともＤＶＤの記録に
利用される帯域（６３０ｎｍ〜６９０ｎｍ帯域）の反射率が、ＣＤの再生に利用される帯
域（７７０ｎｍ〜８００ｎｍ帯域）の反射率よりも高い層によって構成される。尚、色フ
ィルタ５３を構成する層は、ＤＶＤの記録に利用される帯域の屈折率が、当該帯域で３０
％以上の反射率を与えるような値を有し、また、ＣＤの再生に利用される帯域の透過率が
９０％以上である層によって構成されることが好ましい。
【００４０】
本実施の形態のＤＶＤ５０においてレーベル層となる可視光特性変化層５５は、所定の
帯域の光（例えば、波長７８０ｎｍの赤外光）を照射されることにより、照射された部位
のみ局部的に変色（または変形）する材料から成り、例えば、高分子膜から構成される。
高分子膜としては、例えば、感光材や感熱材等のように、光や熱を与えられることにより
色の変化（例えば、白色から黒等の有色への、または、透明から黒等の有色不透明への変
化）がある材料の層（感光層、感熱層等）など、所定のパワー以上の集光されたレーザビ
ームを照射されることによって、当該照射された箇所の基板５４からの可視光特性が変化
する材料から成る層が挙げられる。ここで言う可視光特性としては、視認される色につい
ての、色相、明度、及び、彩度や、吸光特性、反射率、透過率、光散乱等が考えられる。
【００４１】
また、可視光特性変化層を設けた従来の光ディスクの場合、その可視光特性変化層は、
照射される所定の帯域の光（例えば、波長７８０ｎｍの赤外光）をある程度反射させる特
性を有する材料で構成する必要があったが、本実施形態のＤＶＤ５０の可視光特性変化層
５５は、その吸光度が前記所定の帯域の光の波長で最大となる特性を有する材料で構成さ
れているので、照射される前記所定の帯域の光をほとんど吸光する。即ち、照射される前
記所定の帯域の光が反射することはほとんど無く、また、照射される前記所定の帯域の光
のエネルギーがほぼすべて、照射された部位を変色（または変形）させるエネルギーとし
て用いられることになり、エネルギーを無駄にすることがなく、効率良くレーベル印刷を
行うことができる。
【００４２】
また、可視光特性変化層を有する従来の光ディスクの場合、その可視光特性変化層には
、照射される所定の帯域の光（例えば、波長７８０ｎｍの赤外光）を案内するためのグル
ーブを形成する必要があったが、この可視光特性変化層５５には、そのようなグルーブは
形成されていない。従って、可視光特性変化層にグルーブを形成するための製造工程やそ
の工程で使用される金型等が不要となるので、ＤＶＤ５０の製造コストは従来のものより
も低減することになる。
【００４３】
ＤＶＤ５０は、上記のような各層を備えるよう製造されるのであれば、製造方法を問う
ものではないが、例えば、基板５１上に記録色素膜５２及び色フィルタ５３を蒸着させた
ものと、基板５４上に可視光特性変化層５５を蒸着させたものとを、色フィルタ５３側に
可視光特性変化層５５側を対抗させて透明中間層５６を構成する接着剤等で貼り合わせる
ことにより製造することができる。尚、透明中間層５６は透明であることが好ましい。
【００４４】
また、レーザビームが照射される側の光ディスク表面から記録面（情報記録層）までの
厚さは、ＣＤとＤＶＤとでは異なり、ＤＶＤ５０は、ＣＤとＤＶＤの両方に対応する光デ
ィスク装置を用い、そのＣＤについてのレーザビームを照射することによりレーベル印刷
を可能にしたＤＶＤであるので、レーザビームが照射される側の光ディスク表面から可視
光特性変化層５５までの厚さは、ＣＤのレーザビームが照射される側の光ディスク表面か
ら記録面までの厚さと略等しくなるように形成されている。
【００４５】
次に、上述したＤＶＤ５０にレーベル印刷を行うことのできる光ディスク装置を説明す
る。図３は、本実施形態に係る光ディスク装置の構成を示すブロック図である。図３に示
す光ディスク装置は、ＣＤの再生及び／または記録機能を付随したＤＶＤの記録及び再生
を行う光ディスク装置である。
【００４６】
図３に示すように、光ディスク装置１００は、バックエンドであるパーソナルコンピュ
ータ（ＰＣ）１１０に接続されており、光ピックアップ１０、フロントエンドプロセッサ
（ＦＥＰ）１３、レーザパワーコントロール（ＬＰＣ）回路１４ａ、１４ｂ、サーボ回路
１５、モータ駆動回路１６、制御部１７、ステッピングモータ１８、ドライバ１９、モー
タコントローラ２０、スピンドルモータ２１を備えている。
【００４７】
スピンドルモータ２１は、データを記録再生する対象となるＤＶＤ５０を回転駆動する
ためのモータであり、モータ駆動回路１６によりその回転数が制御される。モータ駆動回
路１６には、制御部１７からの指示信号、及び、スピンドルモータ２１またはスピンドル
モータ２１に設けられたセンサ等からフィードバックされるスピンドルモータ２１の回転
数に応じた周波数のパルス信号が供給され、モータ駆動回路１６は、これらの供給される
信号に基づいてスピンドルモータ２１の回転制御を行う。尚、スピンドルモータ２１の回
転駆動方式には、ＤＶＤ５０を角速度一定で回転駆動する方式（ＣＡＶ方式：Constant A
ngular Velocity）や、一定の記録線速度となるようにＤＶＤ５０を回転駆動する方式（
ＣＬＶ方式：Constant Linear Velocity）があるが、いずれを用いるようにしてもよい。
【００４８】
光ピックアップ１０は、スピンドルモータ２１により回転駆動されるＤＶＤ５０に対し
てレーザビームを照射するユニットである。
【００４９】
図４に光ピックアップ１０の構成を示す。図４に示すように、光ピックアップ１０は、
ＤＶＤの再生または記録用に使用される波長６６０ｎｍの赤色光であるレーザビームＬ１
を出射するレーザダイオード３７ａと、ＣＤの再生または記録用及びレーベル印刷用に使
用される波長７８０ｎｍの赤外光であるレーザビームＬ２を出射するレーザダイオード３
７ｂと、レーザダイオード３７ａを駆動するレーザダイオードドライバ（ＬＤＤ）１１ａ
と、レーザダイオード３７ｂを駆動するレーザダイオードドライバ（ＬＤＤ）１１ｂと、
レーザビームＬ１、Ｌ２をＤＶＤ５０（記録色素膜５２や可視光特性変化層５５）に集光
させるための光学系４０と、反射光を受光する受光素子３６と、受光素子３６からの受光
信号を増幅するヘッドアンプ（ＨＡ）１２とを備えている。
【００５０】
ＬＤＤ１１ａは、図３に示す制御部１７からの指示信号と、ＬＰＣ回路１４ａからの制
御信号に従ってレーザダイオード３７ａを駆動し、ＬＤＤ１１ｂは、制御部１７からの指
示信号と、ＬＰＣ回路１４ｂからの制御信号に従ってレーザダイオード３７ｂを駆動する
。
【００５１】
レーザダイオード３７ａは、ＬＤＤ１１ａから駆動電流が供給されると、該駆動電流に
応じた強度のレーザビームＬ１を出射する。そして、レーザダイオード５３ａより出射さ
れたレーザビームＬ１は回折格子３８ａにより主ビームと２つの副ビーム（先行ビーム、
後行ビーム）に分離され、これら３つのレーザビームＬ１は偏光ビームスプリッタ３９ａ
、３９ｂ、コリメータレンズ３０、１／４波長板３１、対物レンズ３２を経て、図５に示
すように、ＤＶＤ５０の記録面である記録色素膜５２に集光される。
【００５２】
このレーザビームＬ１は、ＤＶＤ５０の色フィルタ５３において反射されるので、記録
色素膜５２に対する情報の再生または記録のために照射されるレーザビームＬ１が、可視
光特性変化層５５に対して、画像形成として意図しない画像を形成してしまうなどの悪影
響を及ぼすことを回避することができる。
【００５３】
そして、ＤＶＤ５０の色フィルタ５３で反射された３つのレーザビームＬ１は、再び、
対物レンズ３２、１／４波長板３１、コリメータレンズ３０、偏光ビームスプリッタ３９
ｂを透過し、偏向ビームスプリッタ３９ａで反射されて、シリンドリカルレンズ３３を経
て、受光素子３６に入射するようになっている。
【００５４】
そして、受光素子５６は、受光した信号をヘッドアンプ１２に出力し、該受光信号がヘ
ッドアンプ１２で増幅されて図３に示すＦＥＰ１３やサーボ回路１５に供給されるように
なっている。ＦＥＰ１３は、所定の変調が施されているこの受光信号を復調して制御部１
７に供給する。
【００５５】
また、サーボ回路１５には、この受光信号に含まれる、トラッキング制御に使用される
グルーブ５２ａの位置情報や、フォーカス制御に使用される記録色素膜５２に集光してい
るレーザビームＬ１の焦点に関する情報（焦点情報）が供給されることになる。このトラ
ッキング制御、フォーカス制御については詳細を後述する。
【００５６】
一方、レーザダイオード３７ｂは、ＬＤＤ１１ｂから駆動電流が供給されると、該駆動
電流に応じた強度のレーザビームＬ２を出射する。そして、レーザダイオード５３ｂより
出射されたレーザビームＬ２は回折格子３８ｂにより主ビームと２つの副ビーム（先行ビ
ーム、後行ビーム）に分離され、これら３つのレーザビームＬ２は偏光ビームスプリッタ
３９ｂ、コリメータレンズ３０、１／４波長板３１、対物レンズ３２を経て、図５に示す
ように、ＤＶＤ５０のレーベル面である可視光特性変化層５５に集光される。
【００５７】
上述したように、可視光特性変化層５５は、赤外光をほとんど吸光する特性を有してい
るので、可視光特性変化層５５に照射されたレーザビームＬ２が反射することはほとんど
無く、また、可視光特性変化層５５に照射されたレーザビームＬ２のエネルギーは、ほぼ
すべて、照射された部位を変色（または変形）させるエネルギーとして用いられることに
なる。
【００５８】
尚、レーザビームＬ２は、光ディスク装置１００に装着されている光ディスクがＣＤで
あり、そのＣＤの再生または記録を行う場合にも照射される。その場合に照射されたレー
ザビームＬ２は、上述のようにして３つのレーザビームＬ２に分離され、装着されたＣＤ
の記録面に集光される。
【００５９】
そして、その装着されたＣＤの記録面で反射された３つのレーザビームＬ２は、再び、
対物レンズ３２、１／４波長板３１、コリメータレンズ３０を透過し、偏向ビームスプリ
ッタ３９ａで反射されて、シリンドリカルレンズ３３を経て、受光素子３６に入射するよ
うになっている。そして、受光素子５６は、受光した信号をヘッドアンプ１２に出力し、
該受光信号がヘッドアンプ１２で増幅されて図３に示すＦＥＰ１３やサーボ回路１５に供
給されるようになっている。
【００６０】
レーザビームが照射される側の光ディスク表面から記録面までの厚さは、ＣＤとＤＶＤ
とでは異なるため、ＣＤとＤＶＤの両方に対応する光ディスク装置１００は、対物レンズ
３２にホログラムを形成することにより、ＤＶＤ用のレーザビームＬ１のスポット位置と
、ＣＤ用のレーザビームＬ２のスポット位置とが、ＣＤとＤＶＤのそれぞれの記録面に合
うように予め調整されている。
【００６１】
上述したように、ＤＶＤ５０の可視光特性変化層５５は、ＣＤの記録面に相当する位置
に設けられているので、ＤＶＤ５０のレーベル印刷を行う際には、レーザビームＬ２は可
視光特性変化層５５上に集光されることになる。尚、ＣＤとＤＶＤとでスポット位置を変
えるために、光ピックアップを２セット設けたり、光路を変えるためのホログラム等の光
路変更手段を対物レンズ３２とは別途設けたり、焦点距離の異なる２つの対物レンズを設
けたりするなどの他の方法を用いても良い。
【００６２】
また、光ピックアップ１０は、図示しない２つのフロントモニタダイオードを有してお
り、レーザダイオード３７ａ、３７ｂがレーザビームを出射しているときに、それぞれの
出射光を受光した各フロントモニタダイオードに電流が生じ、その各電流が図３に示すＬ
ＰＣ回路１４ａ、１４ｂに供給されるようになっている。そして、ＬＰＣ回路１４ａ、１
４ｂは、それぞれ、制御部１７によって指示される最適レーザパワーの目標値と一致する
値のレーザパワーがレーザダイオード３７ａ、３７ｂから出射されるようにＬＤＤ１１ａ
、１１ｂを制御する。ここで行われるＬＰＣ回路１４ａ、１４ｂによるレーザパワー制御
は、前記フロントモニタダイオードから供給される電流値を用い、目標となる強度のレー
ザビームがレーザダイオード３７ａ、３７ｂから照射されるように制御するフィードバッ
ク制御である。
【００６３】
対物レンズ３２は、フォーカスアクチュエータ３４及びトラッキングアクチュエータ３
５に保持されており、レーザビームＬ１、Ｌ２の光軸方向及びＤＶＤ５０の径方向に移動
できるようになっている。フォーカスアクチュエータ３４及びトラッキングアクチュエー
タ３５の各々は、サーボ回路１５から供給されるフォーカスエラー（ＦＥ）信号及びトラ
ッキングエラー（ＴＥ）信号に応じて対物レンズ３２を光軸方向および径方向に移動させ
る。
【００６４】
サーボ回路１５は、ヘッドアンプ１２から供給される増幅された受光信号に基づいてＦ
Ｅ信号及びＴＥ信号を生成し、それらをフォーカスアクチュエータ３４及びトラッキング
アクチュエータ３５に与えることでフォーカス制御及びトラッキング制御を行う。
【００６５】
ここで、光ピックアップ１０から出射されＤＶＤ５０に照射される上述した３つのレー
ザビームＬ１は、主ビームのスポット中心がＤＶＤ５０の１つのグルーブ５２ａ（図１参
照）の中心に位置したときに、一方の副ビームのスポットがそのグルーブ５２ａの内側面
に、他方の副ビームのスポットがそのグルーブ５２ａの外側面にそれぞれかかるような位
置関係にある。
【００６６】
そのため、サーボ回路１５は、ヘッドアンプ１２から与えられる受光信号を用いて、受
光素子３６で検出される２つの副ビームの反射光の強度の差分を演算することにより、主
ビームが目標とするグルーブ５２ａの中心に対して内側／外側のどちら側にどれだけズレ
ているのか、即ち、トラッキングエラー量を知ることができる。そして、サーボ回路１５
は、そのトラッキングエラー量をゼロにするためのＴＥ信号を生成し、そのＴＥ信号でト
ラッキングアクチュエータ３５を制御することで、ＤＶＤ５０が偏心回転しても、主ビー
ムを目標とするグルーブ５２ａの中心に正確にトレースさせることができる（トラッキン
グ制御）。尚、このトラッキング制御は、上述した３ビーム方式以外に、位相差方式（１
ビームトラッキング方式）で行うようにしても良い。
【００６７】
また、受光素子３６は、図６に示すように、実際には検出エリアが４つのエリアａ、ｂ
、ｃ、ｄに分割されており、受光素子３６に結像されるレーザビームＬ１の主ビームは、
シリンドリカルレンズ３３によって、対物レンズ３２がＤＶＤ５０に近い状態であれば縦
楕円Ａになり、遠い状態であれば横楕円Ｂになり、ピントが合った状態であれば円形Ｃに
なる。
【００６８】
このため、４つのエリアａ、ｂ、ｃ、ｄの受光強度を（ａ＋ｃ）−（ｂ＋ｄ）という演
算式で演算し、求めた演算結果から、対物レンズ３２がＤＶＤ５０に対してピントが合っ
た状態から近い側／遠い側のどちら側にどれだけズレているのか、即ち、フォーカスエラ
ー量を知ることができる。そして、サーボ回路１５は、そのフォーカスエラー量を所定の
値にするためのＦＥ信号を生成し、そのＦＥ信号でトラッキングアクチュエータ３５を制
御することで、ＤＶＤ５０が回転時に面振れを起こしても、主ビームのピントをＤＶＤ５
０上に正確に合わせることができる（フォーカス制御）。
【００６９】
図３に戻り、ステッピングモータ１８は、セットされたＤＶＤ５０の径方向に光ピック
アップ１０を移動させるためのモータである。モータドライバ１９は、モータコントロー
ラ２０から供給されるパルス信号に応じた量だけステッピングモータ１８を回転駆動する
。モータコントローラ２０は、制御部１７から指示される光ピックアップ１０の径方向へ
の移動方向および移動量を含む移動開始指示にしたがって、移動量や移動方向に応じたパ
ルス信号を生成し、モータドライバ１９に出力する。即ち、ステッピングモータ１８が光
ピックアップ１０をＤＶＤ５０の径方向に移動させること、及び、スピンドルモータ２１
がＤＶＤ５０を回転させることにより、光ピックアップ１０のレーザビーム照射位置をＤ
ＶＤ５０の様々な位置に移動させることができる。
【００７０】
また、制御部１７は、ＣＰＵ（Central Processing Unit）、ＲＯＭ（Read Only Memor
y）、ＲＡＭ（Random Access Memory）、バッファメモリ等（いずれも不図示）を備えて
おり、ＣＰＵは、ＲＯＭに格納されたファームウェア（プログラム）にしたがって当該光
ディスク装置１００の装置各部を制御し、ＤＶＤ５０に対する再生または記録のための各
種処理、及び、レーベル印刷のための各種処理、また、ＣＤが装着された場合は、そのＣ
Ｄに対する再生または記録のための各種処理を中枢的に制御している。尚、ＲＡＭは各種
処理時のワークメモリとして使用される。
【００７１】
制御部１７は、再生時には、光ピックアップ１０から再生レベルのレーザビームを出射
させるためにＬＤＤ１１ａ、ＬＰＣ１４ａ（装着された光ディスクがＣＤの場合は、ＬＤ
Ｄ１１ｂ、ＬＰＣ１４ｂ）に指示信号を与える。再生レベルとは、上述したサーボ回路１
５によるフォーカス制御及びトラッキング制御のために必要な反射光が得られる照射パワ
ーのレベルを言い、この再生レベルのレーザビームでは、ＤＶＤ５０の記録色素膜５２に
記録されている情報（ピット）を読み取ることはできるが、記録色素膜５２への情報記録
を行うことはできない。そして、ＤＶＤ５０の記録色素膜５２から読み出されＦＥＰ１３
で復調された音楽データ等の各種データをバックエンドであるＰＣ１１０へ送信し、ＰＣ
１００の各種再生手段でそのデータが再生される。
【００７２】
一方、記録時には、ＤＶＤ５０に対して記録する記録用データが、バックエンドである
ＰＣ１１０から送信され、制御部１７内のバッファメモリに蓄積される。この記録用デー
タには、ＤＶＤ５０の記録色素膜５２に記録する音楽データや映像データ等の情報記録デ
ータと、レーベル印刷を行うための画像データとがある。この画像データとは、円盤状の
光ディスクの面上に可視画像を形成するためのデータであり、ＰＣ１１０に入力、または
ＰＣ１１０で生成された光ディスクのレーベル面に形成する画像のビットマップデータを
極座標形式のデータに変換したものであり、光ディスクの中心点を中心とする多数の同心
円上の複数の各座標点毎にその点の階調度（濃淡）を示す情報が記述されているデータで
ある。
【００７３】
そして、制御部１７はこのバッファメモリに蓄積された記録用データに基づいて、光ピ
ックアップ１０から記録レベルのレーザビームを出射させるためにＬＤＤ１１ａ、ＬＰＣ
１４ａ、及び／または、ＬＤＤ１１ｂ、ＬＰＣ１４ｂに指示信号を与え、ＤＶＤ５０の記
録色素膜５２に情報の記録を行うとともに、可視光特性変化層５５に画像形成を行う。記
録レベルとは、レーザビームＬ１の場合は、記録色素膜５２に情報（ピット）を書き込む
照射パワーのレベルを言い、レーザビームＬ２の場合は、可視光特性変化層５５を変色（
または変形）等させて画像を形成する照射パワーのレベルを言う。
【００７４】
次に、このような構成の光ディスク装置１００のＤＶＤ５０への情報記録動作を、図７
に示すフローチャートを参照して説明する。
【００７５】
先ず、光ディスク装置１００にＤＶＤ５０がセットされ、ユーザがＰＣ１１０を操作す
ることにより、セットしたＤＶＤ５０への情報記録の開始指示がＰＣ１１０から制御部１
７へ与えられる（ステップＳ１）。このとき、ＤＶＤ５０の記録色素層５２に記録する音
楽データや映像データ等の情報記録データと可視光特性変化層５５に印刷する可視画像の
画像データとがＰＣ１１０から制御部１７へ与えられ、制御部１７は、これらの与えられ
たデータを制御部１７内のバッファメモリに蓄積する。
【００７６】
次に、制御部１７は、モータ駆動回路１６を制御して、スピンドルモータ２１によりＤ
ＶＤ５０を所定速度で回転させる（ステップＳ２）。
【００７７】
次に、制御部１７は、ＬＤＤ１１ａ、ＬＰＣ１４ａに指示信号を与え、光ピックアップ
１０から再生レベルのレーザビームＬ１をＤＶＤ５０へ照射する（ステップＳ３）。そし
て、これ以後、レーザビームＬ１が照射されているときには、照射されたレーザビームＬ
１のＤＶＤ５０の色フィルタ５３からの反射光の信号であるヘッドアンプ１２からの受光
信号に基づいて、上述したサーボ回路１５によるフォーカス制御及びトラッキング制御が
行われる。
【００７８】
次に、制御部１７は、モータコントローラ２０に移動開始指示を与え、バッファメモリ
に蓄積されている情報記録データ及び画像データに基づいて情報記録及び画像形成のため
にレーザ照射を行う位置へ光ピックアップ１０を移動させる（ステップＳ４）。
【００７９】
そして、制御部１７は、光ピックアップ１０がバッファメモリに蓄積されている情報記
録データに基づくレーザ照射位置に到達したときには、ＬＰＣ１４ａに指示信号を与え、
光ピックアップ１０から照射されるレーザビームＬ１の照射パワーをその情報記録データ
に基づいて再生レベルと記録レベルとに切り替える。これにより、記録色素膜５２への情
報の記録がなされる（ステップＳ５）。
【００８０】
また、このとき、制御部１７は、光ピックアップ１０がバッファメモリに蓄積されてい
る画像データに基づくレーザ照射位置に到達したときには、ＬＤＤ１１ｂ、ＬＰＣ１４ｂ
に指示信号を与え、光ピックアップ１０から画像データに応じて記録レベルのレーザビー
ムＬ２をその画像データに応じてＤＶＤ５０へ照射する（ステップＳ５）。尚、このとき
のレーザビームＬ２の照射パワーは、画像データに含まれる階調度（濃淡）に応じて決め
られる。これにより、可視光特性変化層５５に画像が形成される。
【００８１】
また、このとき、ＤＶＤ５０の可視光特性変化層５５上に照射されるレーザビームＬ２
は、照射されているレーザビームＬ１（再生レベルまたは記録レベルのいずれか）の反射
光に基づいて対物レンズ３２がサーボ回路１５によりフォーカス制御及びトラッキング制
御されているので、可視光特性変化層５５上の画像データを形成すべき座標点に正確に位
置合わせ及びピント調整されている。
【００８２】
即ち、ＤＶＤ５０の可視光特性変化層５５には、フォーカス制御及びトラッキング制御
のためのグルーブが設けられておらず、また、画像形成のために照射するレーザビームＬ
２に関しては、その反射光に基づくフォーカス制御及びトラッキング制御を行うことなく
、可視光特性変化層５５上の所望の位置に正確にレーザビームＬ２が照射される。これに
より、ＤＶＤ５０のレーベル面に所望の画像を正確に形成することができる。
【００８３】
さらに、このとき、ＤＶＤ５０の可視光特性変化層５５上に照射されるレーザビームＬ
２は、そのエネルギーのほぼすべてが照射された部位を変色（または変形）させるエネル
ギーとして用いられることになるので、エネルギーを無駄にすることがなく、効率良く画
像形成を行うことができる。これにより、従来の可視光特性変化層を有する光ディスクに
比して高速で画像形成することができる。換言すれば、同じ画像形成時間であれば、より
分解能を上げた画像形成を行うことができる。また、レーザビームＬ２が可視光特性変化
層５５で反射されることがないので、レーザビームＬ２がレーザビームＬ１の反射光に基
づく制御の迷光となることがなく、安定した制御を行うことができる。
【００８４】
そして、制御部１７は、バッファメモリに蓄積されている情報記録データ及び画像デー
タのすべてに対するレーザビームＬ１、Ｌ２の照射による情報の記録処理及び画像形成処
理を行ったか否か、即ち、記録すべき情報を記録し終え、且つ、形成すべき画像を形成し
終えたか否かを判別し（ステップＳ６）、まだ、記録し終えていないか、または、形成し
終えていないと判別したときは、ステップＳ４に戻り、情報の記録及び／または画像形成
を継続する。
【００８５】
一方、記録すべき情報を記録し終え、且つ、形成すべき画像を形成し終えたと判別した
ときは（ステップＳ６）、ＬＤＤ１１ａ、ＬＰＣ１４ａに指示信号を与え、光ピックアッ
プ１０からのレーザビームＬ１の照射を停止するとともに、モータ駆動回路１６を制御し
てモータ２１によるＤＶＤ５０の回転を停止させる（ステップＳ７）。以上で、情報記録
動作が終了する。
【００８６】
以上説明したように、本実施形態に示す光ディスク装置１００によれば、ＤＶＤ５０に
対して、本来の情報記録を行うだけでなく、可視画像を形成することができる。また、ユ
ーザは、ＤＶＤ５０の記録面を光ピックアップ１０に対向させるようにして光ディスク装
置１００に一度セットすれば、従来の装置と同様にしてＤＶＤ５０の記録面である記録色
素膜５２に情報の記録をするだけでなく、レーベル面である可視光特性変化層５５に可視
画像を形成することができる。このためユーザは、専用のプリンタ装置を用意する必要は
なく、情報が記録されているＤＶＤに別途印刷したラベルシートを貼ったり、或いは、レ
ーベル印刷を行うためにＤＶＤ５０を裏返して再度セットしたりするような煩雑な作業を
する必要がなくなる。
【００８７】
また、本実施形態に示す光ディスク装置１００は、ＤＶＤ５０への情報記録とレーベル
印刷とを同時進行で行うので、ＤＶＤ５０に情報記録及びレーベル印刷を行うために要す
る時間を短縮することができる。即ち、光ディスクのレーベル面に可視画像を効率良く印
刷することができる。
【００８８】
また、以上説明した本実施の形態に示すＤＶＤ５０では、ＤＶＤ用の光源（６３０ｎｍ
〜６９０ｎｍ帯域の光源）で情報を再生または記録し、ＣＤ用光源（７７０ｎｍ〜８００
ｎｍ帯域の光源）でレーベル印刷を行う実施例を示したが、本発明は他の例にも適用する
ことが可能である。具体的には、例えば、次世代ＤＶＤの光源である４０５ｎｍ帯域のレ
ーザ光源を用いて光ディスクに情報を記録し、そして、ＤＶＤ用の光源でレーベル印刷を
行うような例についても、本発明は適用可能である。
【００８９】
尚、今回開示された実施の形態はすべての点で例示であって制限的なものではないと考
えられるべきである。本発明の範囲は上記した説明ではなくて特許請求の範囲によって示
され、特許請求の範囲と均等の意味及び範囲内でのすべての変更が含まれることが意図さ
れる。
【図面の簡単な説明】
【００９０】
【図１】本発明の一実施形態の光ディスク装置が対象とする光ディスクの一例であるＤＶＤの構成を示す側断面図である。
【図２】図１に示すＤＶＤにおいて色フィルタの材料とされることが可能なシアニン色素の吸光度および屈折率を示す図である。
【図３】本発明の一実施形態の光ディスク装置の構成を示すブロック図である。
【図４】図３に示す光ピックアップの構成を示す図である。
【図５】図３に示す光ピックアップから出射されるレーザビームの光路を説明するための図である。
【図６】図３に示す受光素子の構成を示す図である。
【図７】図３に示す光ディスク装置の情報記録動作を説明するためのフローチャートである。
【符号の説明】
【００９１】
１０    光ピックアップ
１１ａ    レーザダイオードドライバ（ＬＤＤ、第１のレーザダイオードドライバ）
１１ｂ    レーザダイオードドライバ（ＬＤＤ、第２のレーザダイオードドライバ）
１２    ヘッドアンプ（ＨＡ）
１３    フロントエンドプロセッサ（ＦＥＰ）
１４ａ、１４ｂ    レーザパワーコントロール回路（ＬＰＣ）
１５    サーボ回路
１６    モータ駆動回路
１７    制御部
１８    ステッピングモータ
１９    ドライバ
２０    モータコントローラ
２１    スピンドルモータ
３０    コリメータレンズ
３１    １／４波長板
３２    対物レンズ
３３    シリンドリカルレンズ
３４    フォーカスアクチュエータ
３５    トラッキングアクチュエータ
３６    受光素子
３７ａ    レーザダイオード（第１のレーザダイオード）
３７ｂ    レーザダイオード（第２のレーザダイオード）
３８ａ、３８ｂ    回折格子
３９ａ、３９ｂ    偏光ビームスプリッタ
４０    光学系
５０    ＤＶＤ（光ディスク）
５１、５４    基板
５２    色素記録膜（情報記録層）
５３    色フィルタ（二色性反射膜）
５５    可視光特性変化層（レーベル層）
５６    透明中間層
１００    光ディスク装置
１１０    パーソナルコンピュータ（ＰＣ、バックエンド）
Ｌ１    レーザビーム（第１のレーザビーム）
Ｌ２    レーザビーム（第２のレーザビーム）
【図１】
2006147087.tif 000004
【図２】
2006147087.tif 000005
【図３】
2006147087.tif 000006
【図４】
2006147087.tif 000007
【図５】
2006147087.tif 000008
【図６】
2006147087.tif 000009
【図７】
2006147087.tif 000010